(57)【要約】      （修正有）【課題】使用者の顔面に対して化粧液の効果を簡単かつ確実に発揮させることができるフェイスマスクの収容体を簡易な構成にて安価に提供する。【解決手段】顔形状を呈するフェイスマスクＦを収容する収容体１０であって、収容体には、化粧液が注入されていると共に、フェイスマスクは、棒状の紙管Ｐに巻回された状態で、前記収容体に収容されていることを特徴とする。【選択図】図１
0003233647.tif 000002
【実用新案登録請求の範囲】
【請求項１】
顔形状を呈するフェイスマスクを収容する収容体であって、前記収容体には、化粧液が注入されていると共に、前記フェイスマスクは、棒状の紙管に巻回された状態で、前記収容体に収容されていることを特徴とするフェイスマスクの収容体。
【考案の詳細な説明】
【技術分野】
【０００１】
本考案は、化粧液を浸み込ませたフェイスマスクを収容するフェイスマスク収容体に関するものである。
【背景技術】
【０００２】
従来から、美容の分野において、シート材を皮膚に貼り付けて、皮膚の汚れや垢を取り除くとともに、皮膚の角質に保湿性と柔軟性を与えるパック材が広く使用されている。このパック材の代表的なものとして、顔面を覆う形状に形成され、化粧液を浸み込ませたシート材を使用者の顔面に貼り付けるフェイスマスクがある（例えば、特許文献１参照）。
【先行技術文献】
【特許文献】
【０００３】
【特許文献１】特開２００６−０４２９８１号公報
【考案の概要】
【考案が解決しようとする課題】
【０００４】
ここで、上記特許文献１には、顔全体をパックするために使用するフェイスマスクであり、該フェイスマスクは液体を含浸可能な折畳まれたシート状物からなり、周縁部に外方に突出した一対の摘み部を有するフェイスマスクが開示されている。
しかしながら、上記先行技術に開示されたフェイスマスクは化粧液が浸み込んだ状態で幾重にも折り畳まれて収容されるため、折り畳まれた層同士が化粧液により貼り付き、使用者は貼り付いた層同士を破れないよう慎重にかつ多方向に剥離する必要があり、フェイスマスクの展開に手間がかかるという問題があった。
また、上記のフェイスマスクが平面的なシート状態で収容されるため、フェイスマスクに外力が作用するとフェイスマスクに痕が付きやすいあるいはフェイスマスクが型崩れしやすいという問題があった。しかも、一般に包装袋は可撓性材料で形成されているため、この問題が顕著であった。
また、上記のフェイスマスクは、折り畳まれた層同士の間に隙間がないため、収容体に化粧液を充填しても折り畳まれた層同士の間に化粧液が十分に行き渡らず、フェイスマスクの深部まで化粧液が浸み込みにくいという問題があった。  さらに、上記のフェイスマスクは、多数の折り目が形成されているため、顔面に貼り付けられた際に折り目近傍が顔面から浮いて、顔面に正確に追随しないという問題もあった。
本考案は、上述のような技術的課題に鑑みてなされたものであり、使用者の顔面に対して化粧液の効果を簡単かつ確実に発揮させることができるフェイスマスク収容体を簡易な構成で安価に提供することを目的とする。
【課題を解決するための手段】
【０００５】
上記目的を達成するために、本考案に係るフェイスマスクの収容体は、顔形状を呈するフェイスマスクを収容する収容体であって、前記収容体には、化粧液が注入されていると共に、前記フェイスマスクは、棒状の紙管に巻回された状態で、前記収容体に収容されていることを特徴とするものである。
このように構成した場合には使用者の顔面に対して化粧液の効果を簡単かつ確実に発揮させることができるフェイスマスクの収容体を簡易な構成にて安価に実現することができる。
【考案の効果】
【０００６】
本考案によれば、使用者の顔面に対して化粧液の効果を簡単かつ確実に発揮させることができるフェイスマスクの収容体を簡易な構成にて安価に提供することができる。
【図面の簡単な説明】
【０００７】
【図１】本考案に係るフェイスマスクFの収容体に収容される構成部材を示す模式図であり、(ａ)は、フェイスマスクＦが巻き付けられる紙管Pを示す模式図である。またｂ)は、フェイスマスクFを紙管Ｐに巻きつける状態を示す模式図であり、さらに(ｃ)は、フェイスマスクＦが巻き付けられた紙管Pを収容する状態を示す模式図であり、さらにまた(ｄ)は、巻き付けられたフェイスマスクFを展開する状態を示す模式図である。
【図２】本考案に係るフェイスマスクFの収容手順を示す図であり、(ａ)は、平面状に展開した状態を示す模式図であり、(b)は、フェイスマスクFを2つ折りにした状態を示す模式図であり、(ｃ)は、フェイスマスクFを４つ折りにして紙管Pに巻き付けて袋１０に収容する状態を示す模式図であり、（ｄ）は、フェイスマスクFを袋１０から取り出して展開した状態を示す模式図である。以下、本考案の一実施の形態について、図面を参照して説明する。本考案に係るフェイスマスクの収容体１０は、図1に模式的に示すように、アルミ製の袋状に形成れた収容体であり、その中に、化粧液が注入されていると共に、顔形状に形成され 化粧水を含浸させた不織布シートを使用者の顔面に貼り付けるフェイスパックマスクFと、フェイスマスクFが巻き付けられて支持される支持材である紙管Pとが収容されている。 そして、使用者はフェイスマスクFが巻き付けられた支持部材（本例では紙管Ｐ）（を収容体１０）から取り出した後、フェイスマスクFの端部を摘んで支持部材ＰまたはフイスマスクＦを巻付方向と反対の一方向に回すだけで、フェイスマスクFの巻き付けられた層面同士が剥離するため、フェイスマスクFを簡単に展開することができる。また、フェイスマスクFが立体的な塊状態で収容されるため、フェイスマスクFに外力が作用しても、フェイスマスクFに痕が付きあるいはフェイスマスクFが型崩れすることを抑制することができる。さらに、巻き付けられた層同士の間にわずかな空間が形成されるため、容器内に化粧液を充填すると化粧液がフェイスマスクFの層同士の間に入り込みやすくなって、化粧液をフェイスマスクFの深部まで行き渡らせることができる。さらにまた、フェイスマスクFの折り目が極力少なくなるため、フェイスマスクFを顔面に貼り付ける際にフェイスマスクFが顔面に正確に追随させることができる
【考案を実施するための形態】
【０００８】
以下、本考案の一実施の形態について、図面を参照して説明する。本考案に係るフェイスマスクの収容体１０は、図1に模式的に示すように、アルミ製の袋状に形成された収容体であり、その中に、化粧液が注入されていると共に、顔形状に形成され 化粧水を含浸させた不織布シートを使用者の顔面に貼り付けるフェイスパックマスクFと、フェイスマスクFが巻き付けられて支持される支持材である紙管Pとが収容されている。
そして、使用者はフェイスマスクFが巻き付けられた支持部材（本例では紙管Ｐ）（を収容体１０）から取り出した後、フェイスマスクFの端部を摘んで支持部材ＰまたはフイスマスクＦを巻付方向と反対の一方向に回すだけで、フェイスマスクFの巻き付けられた層面同士が剥離するため、フェイスマスクFを簡単に展開することができる。また、フェイスマスクFが立体的な塊状態で収容されるため、フェイスマスクFに外力が作用しても、フェイスマスクFに痕が付きあるいはフェイスマスクFが型崩れすることを抑制することができる。さらに、巻き付けられた層同士の間にわずかな空間が形成されるため、容器内に化粧液を充填すると化粧液がフェイスマスクFの層同士の間に入り込みやすくなって、化粧液をフェイスマスクFの深部まで行き渡らせることができる。さらにまた、フェイスマスクFの折り目が極力少なくなるため、フェイスマスクFを顔面に貼り付ける際にフェイスマスクFが顔面に正確に追随させることができる。
これにより、使用者の顔面に対して化粧液の効果を簡単かつ確実に発揮させることが可能となる。しかも、フェイスマスクFを収容体１０の色や形状をデザインすることによって、フェイスマスクFの意匠性や高級感を向上させることが可能となる。
なお、本考案の技術的範囲は上述した実施の形態に限定されるものではなく、本考案の要旨に逸脱しない範囲において多様な変更もしくは改良を加え得るものである。例えば、上述した実施の形態では、紙管Pを維支持部材として例示したがフェイスマスクFを巻き付けて化粧液中で支持する棒状部材を用いることができる。
以上説明したように、本考案によれば使用者はフェイスマスクFが巻き付けられた支持部材（本例では紙管Ｐ）（を収容体１０）から取り出した後、フェイスマスクFの端部を摘んで支持部材ＰまたはフイスマスクＦを巻付方向と反対の一方向に回すだけで、フェイスマスクFの巻き付けられた層面同士が剥離するため、フェイスマスクFを簡単に展開することができる。また、フェイスマスクFが立体的な塊状態で収容されるため、フェイスマスクFに外力が作用しても、フェイスマスクFに痕が付きあるいはフェイスマスクFが型崩れすることを抑制することができる。さらに、巻き付けられた層同士の間にわずかな空間が形成されるため、容器内に化粧液を充填すると化粧液がフェイスマスクFの層同士の間に入り込みやすくなって、化粧液をフェイスマスクFの深部まで行き渡らせることができる。さらにまた、フェイスマスクFの折り目が極力少なくなるため、フェイスマスクFを顔面に貼り付ける際にフェイスマスクFが顔面に正確に追随することができる
これにより、使用者の顔面に対して化粧液の効果を簡単かつ確実に発揮させることが可能となる。しかも、フェイスマスクFを収容体１０の色や形状をデザインすることによって、フェイスマスクFの意匠性や高級感を向上させることが可能となる。
以上説明したように、本考案によれば使用者はフェイスマスクFが巻き付けられた支持部材（本例では紙管Ｐ）（を収容体１０）から取り出した後、フェイスマスクFの端部を摘んで支持部材ＰまたはフイスマスクＦを巻付方向と反対の一方向に回すだけで、フェイスマスクFの巻き付けられた層面同士が剥離するため、フェイスマスクFを簡単に展開することができる。また、フェイスマスクFが立体的な塊状態で収容されるため、フェイスマスクFに外力が作用しても、フェイスマスクFに痕が付いたりあるいはフェイスマスクFが型崩れすることを抑制することができる。さらに、巻き付けられた層同士の間にわずかな空間が形成されるため、容器内に化粧液を充填すると化粧液がフェイスマスクFの層同士の間に入り込みやすくなって、化粧液をフェイスマスクFの深部まで行き渡らせることができる。さらにまた、フェイスマスクFの折り目が極力少なくなるため、フェイスマスクFを顔面に貼り付ける際にフェイスマスクFが顔面に正確に追随することができ、これにより、使用者の顔面に対して化粧液の効果を簡単かつ確実に発揮させることが可能となる。しかも、フェイスマスクFを収容体１０の色や形状をデザインすることによって、フェイスマスクFの意匠性や高級感を向上させることが可能となる。 
なお、本考案の技術的範囲は上述した実施の形態に限定されるものではなく、本考案の要旨に逸脱しない範囲において多様な変更もしくは改良を加え得るものである。例えば、上述した実施の形態では、紙管Pを支持部材として例示したがフェイスマスクFを巻き付けて化粧液中で支持する棒状部材を用いることができる。
【符号の説明】
【０００９】
Ｆ      フェイスマスク
Ｆ      フェイスパックマスク
Ｐ      紙管
Ｐ      支持部材
１０      収容体
【図１】
0003233647.tif 000003
【図２】
0003233647.tif 000004